(57)【要約】【課題】  海外旅行などで、帰国時に土産物が鞄に入らず苦労する場合があった。本発明は、キャスター付きの買い物袋をキャリーバッグとして使うための内設ケースで、使用しないときには薄く畳むことが出来るような内設ケースを提供する。【解決手段】  内設ケースを構成する前面と側面を、折り畳んだときに互いに入り込むような形状にすることで、広げたときにはキャリーバックと同等の高さを確保しつつも、折り畳んだときには鞄に入る程度にまで高さを縮められる構造としたことを特徴とする、キャスター付きの買い物袋をキャリーバッグに変身させる内設ケース。【選択図】図１
2018069003.tif 000002
【特許請求の範囲】
【請求項１】
上方に全面開口した直方体の箱体であって、長手辺に沿う壁面を中折り壁面、短手辺に沿う壁面を回動支持壁面と称し、壁面は開口縁枠に蝶番式に固定してあり、開口縁枠と下端縁枠との上下中間に中間周回枠が設けてあり、中間周回枠を介して、上下に二段階式に折り畳むことができるのであるが、
対向する一方の中折り壁面において、
縁辺から一定の距離をおいた中央域に、二つの正六角形くり抜き片から成るくり抜き部Ａを、長手辺に平行に間隔をおいて穿設してあり、正六角形くり抜き片同士を結ぶ中心線上に端から端まで、箱体内側へ折れる中折り部が設けてあり、
他方の中折り壁面において、
一方側の二つのくり抜き部の間に片を接して嵌まり込む位置に、一方側と同サイズの一つの正六角形くり抜き片がくり抜かれ、その左右に、長手辺方向の正六角形の中心線上に、一方側と同じ間隔をおいて二つの同サイズの正六角形が、あたかも外側の二辺を壁面短手縁辺で切除された崩し正六角形状に切り欠かれ、一つの正六角形くり抜き片と二つの崩し正六角形くり抜き片から成るくり抜き部Ｂが穿設してあり、正六角形くり抜き片と崩し正六角形くり抜き片同士を結ぶ中心線上に端から端まで、箱体内側へ折れる中折り部が設けてあり、
この様に形成された中折り壁面が、開口縁枠と共に中間周回枠と下端縁枠にも回動式に固定されて、上下に同一面が二段階に連なっているのであるが、
対向する一方の回動支持壁面において、
縦中間地点で、両縁辺から水平内側へ４分の１幅だけ切り込まれ、そこから下端中央の３分の１幅へ収斂するベロ片が伸びて根元側凸状域が形成され、
そのベロ片先端片で蝶番的回動式に結合されて、逆対称的に重なり合う先方側凸状域が連結してあり、
この連結部を折り線としてぴったり折り重ねられた形で壁面を成し、
先方側凸状域の先端縁中央には１本の指先が差しこめる程の円弧状の切欠き、即ち指掛け部が設けてあり、
対向する他方の回動支持壁面において、
一方側の連結されたベロ片にピッタリ照応する形がくり抜かれてくり抜き部Ｃが穿設されて根元側凹状域及び先方側凹状域が形成されており、
その境界線上で、くり抜き部Ｃの左右外側を蝶番的回動式に結合されて、逆対象的に重なり合う二つのくり抜き部片が連結してあり、一方側と同様に、この連結部を折り線としてぴったり折り重ねられた形で壁面を成すのであって、
この様に形成された回動支持壁面は、開口縁枠に回動式に固定されているが、中間周回枠と下端縁枠には固定されておらず、
中間周回枠の一方側の中央部に、他方側方向へ突き出る形で、ベロ片先端片幅に相応するガイドリブが設けてあり、
中間枠の他方側に、ベロ片先端側に相応する間隔をおいて、左右それぞれの端まで、一方側方向へ突き出る形で、ガイドリブが設けてあり、一段階の深さで使用するときも二段階の深さで使用するときも同様に、このガイドリブにベロ片が嵌まり込む形で、壁面が立ち上がった状態でしっかり保持されるのであり、
全体としてこの様に構成された箱体を、最大に深く利用する状態から浅く半分の深さで使う際は、回動支持壁面を中間周回枠のガイドリブから内側へ外す様に外から軽く押すと、支えがなくなって、中折り壁面が両側から内側へ折り込まれ、回動支持壁面自体も丁度半分の長さに二つ折りになり、重ね合わせた状態でガイドリブに戻してやると、中間周回枠の位置に底面が来て、一段階の深さに立ち上がった状態が保持され、
キャリーバッグとして使用する必要がなくなったら、折り重なって二重になった回動支持壁面を、中間周回枠中央のすぐ上の付近で外から軽く押してガイドリブから離し、上方に持ち上げると支えがなくなり、中折り壁面が両側から内側へ折り込まれ、回動支持壁面共々に平たく折り畳まれるのであって、
この様な構成体を平たく折り畳んだ状態でキャスター付き買い物袋の中に入れて持ち歩き、たくさんの品々をキャリーバッグの様なしっかりしたものに入れて運びたい時、買い物袋の中で、上方に引っ張り上げれば、買い物袋はたちまち収納空間たっぷりのキャリーバッグに早変わりすることを特徴とするキャスター付きの買い物袋をキャリーバッグに変身させる内設ケース。
【発明の詳細な説明】
【技術分野】
【０００１】  本発明は、旅行用品の一つとして広く使われているキャリーバッグに関するものである。
【背景技術】
【０００２】  従来、キャリーバッグは、使用しないときには小さく出来るものもあったが、鞄に入る程度にまで小さく出来るものはなかった。
【発明の概要】
【発明が解決しようとする課題】
【０００３】従来より、次のような問題点があった。
（イ）「爆買い」と称される、中国から日本に来られる観光客などが、大量の土産物を持    ち帰るために、スーツケースの中にもうひとつスーツケースを入れて来日する様子が    報道されることがある。また日本人でも、海外旅行などで帰国時に土産物が鞄に入ら    なくて苦労する場合があった。
（ロ）会社の出張などでも、サンプル品を渡したり、不具合品を持ち帰るなどの理由で、    行きと帰りで荷物の量が大きく変わる場合には、空の運搬具などを余計に持参する場    合があった。
本発明は、以上の問題点を解決しようとするものである。
【課題を解決するための手段】
【０００４】  上方に全面開口した直方体の箱体であって、長手辺に沿う壁面を中折り壁面、短手辺に沿う壁面を回動支持壁面と称する。壁面は開口縁枠に蝶番式に固定してあり、開口縁枠と下端縁枠との上下中間に中間周回枠が設けてあり、中間周回枠を介して、上下に二段階式に折り畳むことができる。
対向する一方の中折り壁面において、縁辺から一定の距離をおいた中央域に、二つの正六角形くり抜き片から成るくり抜き部Ａを、長手辺に平行に間隔をおいて穿設してあり、正六角形くり抜き片同士を結ぶ中心線上に端から端まで、箱体内側へ折れる中折り部が設けてある。
他方の中折り壁面において、一方側の二つのくり抜き部の間に片を接して嵌まり込む位置に、一方側と同サイズの一つの正六角形部分がくり抜かれ、その左右に、長手辺方向の正六角形の中心線上に、一方側と同じ間隔をおいて二つの同サイズの正六角形が、あたかも外側の二辺を壁面短手縁辺で切除された崩し正六角形状に切り欠かれ、一つの正六角形くり抜き片と二つの崩し正六角形くり抜き片から成るくり抜き部Ｂが穿設してあり、正六角形くり抜き片と崩し正六角形くり抜き片同士を結ぶ中心線上に端から端まで、箱体内側へ折れる中折り部が設けてある。
この様に形成された中折り壁面が、開口縁枠と共に中間周回枠と下端縁枠にも回動式に固定されて、上下に同一面が二段階に連なっている。
対向する一方の回動支持壁面において、縦中間地点で、両縁辺から水平内側へ４分の１幅だけ切り込まれ、そこから下端中央の３分の１幅へ収斂するベロ片が伸びて根元側（固定された開口縁側）凸状域が形成され、そのベロ片先端片で蝶番的回動式に結合されて、逆対称的に重なり合う先方側凸状域が連結してあり、この連結部を折り線としてぴったり折り重ねられた形で壁面を成し、先方側凸状域の先端縁中央には１本の指先が差しこめる程の円弧状の切欠き、即ち指掛け部が設けてある。
対向する他方の回動支持壁面において、一方側の連結されたベロ片にピッタリ照応する形がくり抜かれてくり抜き部Ｃが穿設されて根元側凹状域及び先方側凹状域が形成されており、その境界線上で、くり抜き部Ｃの左右外側を蝶番的回動式に結合されて、逆対象的に重なり合う二つのくり抜き部片が連結してあり、一方側と同様に、この連結部を折り線としてぴったり折り重ねられた形で壁面を成す。
この様に形成された回動支持壁面は、開口縁枠に回動式に固定されているが、中間周回枠と下端縁枠には固定されておらず、中間周回枠の一方側の中央部に、他方側方向へ突き出る形で、ベロ片先端片幅に相応するガイドリブが設けてあり、中間枠の他方側に、ベロ片先端側に相応する間隔をおいて、左右それぞれの端まで、一方側方向へ突き出る形で、ガイドリブが設けてあり、一段階の深さで使用するときも二段階の深さで使用するときも同様に、このガイドリブにベロ片が嵌まり込む形で、壁面が立ち上がった状態でしっかり保持される。
全体としてこの様に構成された箱体を、最大に深く利用する状態から浅く半分の深さで使う際は、回動支持壁面を中間周回枠のガイドリブから内側へ外す様に外から軽く押すと、支えがなくなって、中折り壁面が両側から内側へ折り込まれ、回動支持壁面自体も丁度半分の長さに二つ折りになり、重ね合わせた状態でガイドリブに戻してやると、中間周回枠の位置に底面が来て、一段階の深さに立ち上がった状態が保持される。キャリーバッグとして使用する必要がなくなったら、折り重なって二重になった回動支持壁面を、中間周回枠中央のすぐ上の付近で外から軽く押してガイドリブから離し、上方に持ち上げると支えがなくなり、中折り壁面が両側から内側へ折り込まれ、回動支持壁面共々に平たく折り畳まれる。
以上の様な構成体を平たく折り畳んだ状態でキャスター付き買い物袋の中に入れて持ち歩き、たくさんの品々をキャリーバッグの様なしっかりしたものに入れて運びたい時、買い物袋の中で、上方に引っ張り上げれば、買い物袋はたちまち収納空間たっぷりのキャリーバッグに早変わりする。
以上を特徴とするキャスター付きの買い物袋をキャリーバッグに変身させる内設ケースである。
【発明の効果】
【０００５】（イ）  薄く畳むことが出来るので、使用しないときには、多くのスペースを取らずにス    ーツケースや鞄の中に入れておくことが出来る。
（ロ）  袋の中で内設ケースを広げることで、自立性が確保でき、雑多なものを入れても    形が崩れず、引き摺っている間にバランスを崩すことがない。
【図面の簡単な説明】
【０００６】
【図１】  本発明の内設ケースを広げたときの状態を示す斜視図
【図２】  本発明の内設ケースを広げたときの、［図１］とは１８０度反対方向からの状態を示す斜視図
【図３】  ［図１］において、内設ケース内部の様子が判るように、更に高い位置から見たときの斜視図
【図４】  ［図２］において、内設ケース内部の様子が判るように、更に高い位置から見たときの斜視図
【図５】  本発明の内設ケースを畳んだときの状態を示す斜視図
【図６】  本発明の内設ケースを畳んだ状態で、中折り壁面の畳まれた様子が判るように、回動支持壁面を上に上げたときの斜視図
【図７】  本発明の一部分である中間周回枠部に付けられたガイドリブを示した斜視図
【図８】  ［図７］と対向にある、もう一方の中間周回枠部に付けられたガイドリブを示した斜視図
【図９】  本発明において、内設ケースを使用する際に、畳んだ状態から開口縁枠を持ち上げて、一部を伸ばしたときの斜視図
【図１０】  ［図９］の状態から、更に開口縁枠を持ち上げたときの斜視図
【図１１】  本発明において、内設ケースをキャスター付き買い物袋の中で伸ばしたときの斜視図
【図１２】  本発明を鞄に収納したときの斜視図
【発明を実施するための形態】
【０００７】  以下、本発明の実施の形態を説明する。
（イ）  内設ケースの上部は、開口縁枠（４ａ）と開口縁枠（４ｂ）を、金具（２１ｂ）      及び金具（２１ｃ）によって枠型に組み立ててある。
（ロ）  一方の開口縁枠（４ｂ）には、回動支持壁面（３ａ）を取り付け、さらに回動支      持壁面（３ａ）の先に、回動支持壁面（３ｂ）を取り付けてある。なお回動支持壁      面（３ａ）（３ｂ）の取り付けにあたっては、連結蝶番（１５）によって取り付け      ることで、回転出来るようにしてある。
（ハ）  （ロ）と対向する、もう一方の開口縁枠（４ｂ）には、回動支持壁面（３ｃ）を      取り付け、さらに回動支持壁面（３ｃ）の先に、回動支持壁面（３ｄ）を取り付け      てある。なお回動支持壁面（３ｃ）（３ｄ）の取り付けにあたっては、（ロ）と同      様に連結蝶番（１５）によって取り付けることで、回転出来るようにしてある。
（ニ）  （イ）で述べた枠と下端縁枠（５）の間の長手辺に沿う壁面の一方には、中折り      壁面（１ａ）を４枚、向きを変えながら取り付けてある。また、上から２番目の中      折り壁面（１ａ）は、中間周回枠（６ａ）に取り付けられている。なお、いずれも      連結蝶番（１５）によって取り付けることで、回転出来るようにしてある。
（ホ）  （イ）で述べた枠と下端縁枠（５）の間の長手辺に沿うもう一方の壁面側には、      中折り壁面（１ｂ）を４枚、向きを変えながら取り付けてある。また、上から２番      目の中折り壁面（１ｂ）は、中間周回枠（６ａ）に取り付けられている。これらも      （ニ）と同様に、連結蝶番（１５）によって取り付けることで、回転出来るように      してある。
（ヘ）  中間周回枠（６ａ）は、金具（２１ａ）を用いて２つの中間周回枠（６ｂ）で繋      ぐことにより、２つの中間周回枠（６ａ）と２つの中間周回枠（６ｂ）で周回枠を      構成している。
（ト）  内設ケースを伸ばしたときの傾きの発生を防止するため、一方の中間周回枠（６      ｂ）にはガイドリブ（１７ａ）を設けてある。これにより、組み立てるときに回動      支持壁面（３ａ）及び回動支持壁面（３ｂ）が所定の位置に収まるのと同時に堅牢      性を高めている（［図４］参照）。ガイドリブ（１７ａ）を追加した中間周回枠（      ６ｂ）を［図７］に示す。
（チ）  同様の目的で、対向するもう一方の中間枠（６ｂ）にもガイドリブ（１７ｄ）を      設けてある（［図３］参照）。ガイドリブ（１７ｄ）を追加した中間周回枠（６ｂ      ）を［図８］に示す。
（リ）  底面（２０）にはガイドリブ（１７ｂ）、ガイドリブ（１７ｃ）を設けることで      、内設ケースを伸ばしたときに、回動支持壁面（３ｂ）及び回動支持壁面（３ｄ）      が所定の位置に収まり、内設ケース全体がほぼ垂直に組み立てられるようにすると      同時に、回動支持壁面（３ｂ）及び回動支持壁面（３ｄ）が内設ケースの外に出て      しまうことを防止してある。
（ヌ）  内設ケースを伸ばしたときには、回動支持壁面（３ａ）と（３ｂ）、及び回動支      持壁面（３ｃ）と（３ｄ）が、それぞれ開口縁枠（４ｂ）と底面（２０）の間で突      っ張るために、４枚連結された中折り壁面（１ａ）および、同様に４枚連結された      中折り壁面（１ｂ）がそれぞれ上下に引っ張られ、更に連結された中折り壁面（１      ａ）と中折り壁面（１ｂ）は、各々が中心部分で２つの中間周回枠（６ａ）及び２      つの中間周回枠（６ｂ）で構成された枠に取り付けられているので、中折り壁面（      １ａ）と中折り壁面（１ｂ）のグラツキは抑えられている。
（ル）  回動支持壁面（３ａ）（３ｂ）（３ｃ）（３ｄ）、中折り壁面（１ａ）、及び中      折り壁面（１ｂ）は、単純な長方形ではなく、畳んだときには互いに入り込むよう      な形状にすることで、薄く出来る構造にしてある。（［図５］［図６］［図１２］      参照）
（ヲ）  内設ケースの大きさは、キャスター付き買い物袋の中で広げたときに丁度良い大      きさにしてある。
（ワ）  内設ケースが、キャスター付きの袋に入れやすくなるように、開口縁枠（４ａ）      と底面（２０）についてはコーナー部で面取りを行い、金具（２１ａ）についても      それぞれ２箇所で４５度づつ曲げてある。
以下、本発明の使い方を説明する
（イ）  海外旅行などで多くの土産物を持ち帰ることが考えられる場合、キャスター付き      買い物袋と本内設ケースを、畳んだ状態でスーツケースの中に入れて持っていく。
（ロ）  帰路で荷物が増えた場合には、畳んだ状態の本内設ケースをキャスター付き買い      物袋の中に入れ、水平に設置する。
（ハ）  袋の中に手を入れて、短手方向の両側にある開口縁枠（４ｂ）を掴んで、上方向      に引き上げる。
（ニ）  開口縁枠全体が持ち上がると、回動支持壁面（３ｂ）と回動支持壁面（３ｄ）が      下方に傾き、袋の中の内設ケースは［図９］に示すような形状になる。
（ホ）  更に開口縁枠（４ｂ）を持ち上げ、折り畳まれている回動支持壁面（３ｂ）と回      動支持壁面（３ｄ）を下に伸ばすと、袋の中の内設ケースは［図１０］に示すよう      な形状になる。
（ヘ）  更に開口縁枠（４ｂ）を持ち上げ内設ケースを伸ばしきった状態で、回動支持壁      面（３ｂ）と回動支持壁面（３ｄ）を外側に広げると、袋の中の内設ケースは［図      １］及び［図２］に示すような形状となり、袋の外から見た場合には［図１１］に      示すような状態になり、組み立ては完了する。
（ト）  キャスターが付いているので小さな力で運ぶことが出来、自立性があるので、雑      多なものを無造作に入れても形が崩れず、運んでいる間にバランスを崩すことがな      い。
（チ）  キャスター付きの買い物袋にはファスナーが付いているので、空港のチェックイ      ンカウンターで預けることが出来る。
（リ）  収納するときは、袋の底にまで手を伸ばし、回動支持壁面（３ｂ）と回動支持壁      面（３ｄ）の下端にある、指掛け部（１６）に指を引っ掛け、それぞれを折り畳む      。
（ヌ）  畳んだ側面板を持ち上げた状態で、開口縁枠を下げていくと、袋の中で［図５］      の形に戻すことが出来、袋から取り出すことが出来る。
（ル）  海外旅行以外の用途として例えば、会社の出張やスーパー等での買い物などで行      きと帰りで荷物の量が大きく変わる場合には、行き或いは帰りに、空の運搬具など      を運ぶ場合があったが、キャスター付き買い物袋と内設ケースを用いて運べば、空      の時には薄く畳んで鞄に入れて持ち運ぶことが出来る。（［図１２］参照）
【符号の説明】
【０００８】１ａ  中折り壁面，    １ｂ  中折り壁面，    ２  中折り部，
３ａ  回動支持壁面，    ３ｂ  回動支持壁面，    ３ｃ  回動支持壁面，
３ｄ  回動支持壁面，
４ａ  開口縁枠，    ４ｂ  開口縁枠，    ５  下端縁枠，
６ａ  中間周回枠，    ６ｂ  中間周回枠，
７  正六角形くり抜き片，      ８  崩し六角形くり抜き片，
９  くり抜き部Ａ，  １０  くり抜き部Ｂ，  １１  くり抜き部Ｃ，
１２  ベロ片，    １３  根元側凸状域，    １４  先方側凸状域，
１５  連結蝶番，    １６  指掛け部，
１７ａ  ガイドリブ，    １７ｂ  ガイドリブ，    １７ｃ  ガイドリブ，
１７ｄ  ガイドリブ，
１８  キャスター付き買い物袋，    １９  鞄，    ２０  底面
２１ａ  金具，    ２１ｂ  金具，    ２１ｃ  金具，
２２  内設ケース，    ２３  書類
【図１】
2018069003.tif 000003
【図２】
2018069003.tif 000004
【図３】
2018069003.tif 000005
【図４】
2018069003.tif 000006
【図５】
2018069003.tif 000007
【図６】
2018069003.tif 000008
【図７】
2018069003.tif 000009
【図８】
2018069003.tif 000010
【図９】
2018069003.tif 000011
【図１０】
2018069003.tif 000012
【図１１】
2018069003.tif 000013
【図１２】
2018069003.tif 000014